(57)【要約】【課題】時間が経過した場合でも飽きることがなく、また、見る者に強烈な印象を与えて購買意欲を高めることが可能な装身具ケースを提供すること。【解決手段】装身具を収容する、左右側壁５、前後側壁６及び底部７を有する有底箱形状とした本体部２と、本体部２に開閉自在に連結された蓋体部３を有する装身具用ケース１であり、左右側壁５及び前後側壁６はそれぞれ、壁本体８と壁本体８の外側に配置された透光性の化粧板１０と壁本体８任意の複数箇所に形成した貫通孔８０１と貫通孔８０１内に挿装した発光手段１３を具備し、蓋体部３は、蓋本体１２と蓋本体１２の外側に配置された透光性化粧板１０と蓋本体１２任意の複数箇所に形成した貫通孔８０１と貫通孔８０１内に挿装した発光手段１３を具備し、本体部２はその内部に前記複数の発光手段１３を点滅させるための制御手段１６及び電源１７を具備した。【選択図】図１
2007282958.tif 000002
【特許請求の範囲】
【請求項１】
装身具を収容する、左右側壁（５）、前後側壁（６）及び底部（７）を有する有底箱形状とした本体部（２）と、
ヒンジ部材を介して前記本体（２）に開閉自在に連結された蓋体部（３）と、を有する装身具用ケース（１）であって、
前記本体（２）における左右側壁（５）及び前後側壁（６）はそれぞれ、壁本体（８）と、該壁本体（８）の外側に配置された透光性の化粧板（１０）と、前記壁本体（８）任意の複数箇所に形成した貫通孔（８０１）と、該貫通孔（８０１）内に挿装した発光手段（１３）とを具備し、
前記蓋体部（３）は、蓋本体（１２）と、該蓋本体（１２）の外側に配置された透光性の化粧板（１０）と、前記蓋本体（１２）任意の複数箇所に形成した貫通孔（８０１）と、該貫通孔（８０１）内に挿装した発光手段（１３）とを具備し、
前記本体部（２）は、その内部に、前記複数の発光手段（１３）を点滅させるための制御手段（１６）及び電源（１７）を具備した、ことを特徴とする装身具ケース。
【請求項２】
前記発光手段（１３）としてＬＥＤを用いるとともに、該ＬＥＤを複数の群に分割し、各ＬＥＤ群の発光時期をずらしたことを特徴とする請求項１に記載の装身具ケース。
【請求項３】
前記制御手段（１６）にスピーカー（１８）を接続し、該スピーカー（１８）より任意のメロディーを出力可能にしたことを特徴とする請求項１又は請求項２に記載の装身具ケース。
【発明の詳細な説明】
【技術分野】
【０００１】
本発明は装身具用のケースに係り、より詳しくは、本体部と蓋体部により構成される装身具用ケースにおいて、本体部の側壁及び蓋体部に複数個のＬＥＤ等の発光手段を挿装するとともに、この発光手段を点滅させる制御手段を本体部に収容して発光手段を点滅させ、これにより装身具ケースの外観を動的に飾ることを可能とした装身具用ケースに関する。
【背景技術】
【０００２】
一般的に、指輪、ネックレス、ブレスレット等の装身具は装身具ケースに入れて保管するが、高額な装身具を収容する装身具ケースの場合には、高級感を出すためにその外観に工夫を凝らすことが多く、それにより、装身具ケース自体が装飾品としての価値を有してくることがある。
【０００３】
また、例えば、ショーケース内で装身具をケースに入れた状態で展示する場合などは、購買意欲をかきたてるために、ケースを独自のデザインで華やかに装飾し、あるいはケース内の宝石類を照明手段で照射する等の工夫がなされている。
【特許文献１】特開平８−２８０４３３号公報
【特許文献２】特開２００１−２１１９２２号公報
【発明の開示】
【発明が解決しようとする課題】
【０００４】
しかしながら、前述のように、ケースの外観に工夫を凝らして高級感を出した場合であっても、また、ケースを独自のデザインで華やかに装飾し、あるいはケース内の宝石類を照明手段で照射する等の工夫をした場合であっても、それらは静的な装飾でしかなく、そのために、ケースを装飾品として屋内等に飾った場合においては、時間の経過とともに飽きがきてしまうという問題点があった。
【０００５】
また、ショーケース内で装身具をケースに入れた状態で宝石類等を展示する場合において、購買意欲をかきたてるためにケースを独自のデザインで華やかに装飾等した場合でも、宝石類を購入する目的で来ている者に対しては格別、そうでない者に対しては、購買意欲をかき立てるほどのインパクトを与えることは困難である。
【０００６】
そこで、本発明は、時間が経過した場合でも飽きることがなく、また、見る者に強烈な印象を与えて購買意欲を高めることが可能な装身具ケースを提供することを課題としている。
【課題を解決するための手段】
【０００７】
本発明の装身具用ケースは、装身具を収容する、左右側壁、前後側壁及び底部を有する有底箱形状とした本体部と、ヒンジ部材を介して前記本体部に開閉自在に連結された蓋体部とを有する装身具用ケースであって、
前記本体部における左右側壁及び前後側壁はそれぞれ、壁本体と、該壁本体の外側に配置された透光性の化粧板と、前記壁本体任意の複数箇所に形成した貫通孔と、該貫通孔内に挿装した発光手段とを具備し、
前記蓋体部は、蓋本体と、該蓋本体の外側に配置された透光性の化粧板と、前記蓋本体任意の複数箇所に形成した貫通孔と、該貫通孔内に挿装した発光手段とを具備し、
前記本体部はその内部に、前記複数の発光手段を点滅させるための制御手段及び電源を具備した、ことを特徴としている。
【発明の効果】
【０００８】
本発明の装身具用ケースでは、本体の側壁と蓋体部をそれぞれ、壁本体又は蓋本体と壁本体又は蓋本体の外側に配置された透光性の化粧板とで構成するとともに、壁本体又は蓋本体の任意の複数箇所に貫通孔を形成してこの貫通孔内に発光手段を挿装し、本体部内には前記発光手段を点滅させるための制御手段及び電源を収容しており、これにより、発光手段を点滅させることにより装身具ケースの外側を動的に華やかに飾ることを可能にしている。
【０００９】
従って、本発明の装身具ケースによれば、時間の経過により飽きられることが無いとともに、購買目的を持たずに来店した者に対しても有効に購買意欲をかき立てることが可能である。
【発明を実施するための最良の形態】
【００１０】
本発明の装身具用ケースでは、装身具を収容する本体部と、この本体部にヒンジ部材を介して開閉自在に連結された蓋体部とで構成されており、本体部は、有底箱形状とし、従って、左右側壁、前後側壁、及び底部を有している。
【００１１】
そして、前記本体部を構成する左右側壁及び前後側壁はそれぞれ、厚紙等で形成した壁本体と、この壁本体の外側に配置された透光性の化粧板とを有し、壁本体の任意の複数箇所には貫通孔が形成され、この貫通孔内にはＬＥＤ等の発光手段が挿装されている。
【００１２】
また、前記蓋体部は、厚紙等で形成された蓋本体と、この蓋本体の外側に配置された透光性の化粧板とを有しており、前記蓋本体の任意の複数箇所には貫通孔が形成され、この貫通孔内にはＬＥＤ等の発光手段が挿装されている。
【００１３】
そして、前記本体部内における底部には、前記複数の発光手段をそれぞれ点滅させるための制御手段と電源が収容されている。
【００１４】
ここで、前記発光手段を複数の群に分割するとともに、各群の発光時期をずらし、一つの発光手段の群が消えているときには他の発光手段の群が発光しているようにするとよく、これにより、より動的な装飾にすることが可能である。
【実施例１】
【００１５】
本発明の装身具用ケースの実施例について図面を参照して説明すると、図１は本実施例の装身具用ケースを示す斜視図であり、また、図２は本実施例の装身具ケース１の縦断正面構造を示す断面図であり、図において１が本実施例の装身具用ケースである。
【００１６】
そして、本実施例の装身具ケース１は、装身具を収容するための本体部２と、図示しない蝶番等のヒンジ部材により前記本体部２に開閉自在に連結した蓋体部３から構成されており、前記本体部２の下面には脚部４が連設されている。
【００１７】
また、前記本体部２は有底の箱形状としており、即ち、左右側壁部５、及び前後側壁部６とを有するとともに、図２に示されるように、この左右側壁部５及び前後側壁部６で囲まれた空間の底部を閉鎖する底部７を有している。
【００１８】
ここで、前記左右側壁部５及び前後側壁部６について説明すると、本実施例において前記左右側壁部５及び前後側壁部６はいずれも、厚紙等で形成された壁本体８を有しており、この壁本体８の内周側は化粧用の布地９で被覆され、更に、前記本体部８の外周側には、透光性の化粧材として、ガラス製の板材１０が接着等により取り付けられている。
【００１９】
また、前記底部７は、厚紙等で形成された底部本体１１と、この底部本体１１の下面に接着された化粧用の布地９とを備えて構成されている。
【００２０】
更に、前記蓋体部３は、厚紙等で形成された蓋本体１２の上面にガラス製の板材１０が接着等により取り付けられているとともに、前記蓋本体１２の下面は化粧用の布地９で被覆されている。
【００２１】
そして、前記左右側壁部５及び前後側壁部６における壁本体８と、前記蓋体部３における蓋本体１２には、いずれも、発光手段としての複数個のＬＥＤが、本体部２の外側に向けて光を照射可能な配置で装着されている。
【００２２】
ここで、図３は、前記左右側壁部４又は前後側壁部５の側断面の一部を拡大して示した図であり、図において、壁本体８の任意の複数箇所には貫通孔８０１が形成されている。
【００２３】
そして、この貫通孔８０１内における壁本体８の外周側（図における左側）には、前記貫通孔８０１における外周側開口を閉鎖する配置で、透光性の接着材８０２が充填されており、本実施例においてこの接着材８０２としては、ゼラチン質の膠を用いている。
【００２４】
次に、前記貫通孔８０１内には、発光手段としてのＬＥＤ１３が挿装されており、即ち、図において１３がＬＥＤであり、このＬＥＤ１３は、その先端が前記壁本体８の外周側に向く配置で、貫通孔８０１内に挿装されている。なおこのとき、前記ＬＥＤ１３の先端部を前記接着材８０２に接触させるとよく、これによりＬＥＤ１３の位置を固定させることが可能となる。
【００２５】
このように、本実施例の装身具ケース１では、壁本体８に形成した貫通孔８０１内に透光性の接着材を介してＬＥＤ１３を挿装しており、また、前記壁本体８の外側には透光性のガラス製の板材１０を取り付けているために、前記ＬＥＤ１３を発光させることで、このＬＥＤ１３よりの光を装身具ケース１の外側から視認することができる。
【００２６】
なお、前記蓋体部３の構成も前記左右側壁部５又は前後側壁部６と同様に、蓋本体８に複数の貫通孔を形成するとともに、この貫通孔内に、接着材を介してＬＥＤ１３を挿装している。
【００２７】
また、図において２０は、本体部２の上端周縁部及び下端周縁部、並びに蓋体部の周縁部を飾るための縁取り部材である。
【００２８】
次に、図２において、前記本体部２内における底部近傍には、スペーサ１４を介して、上面を化粧用布地９で被覆した仕切り板１５が備えられており、この仕切り板１５と前記底部７との間の空間には、前記ＬＥＤ１３を点滅させるための制御基板２１が備え備えられている。
【００２９】
ここで、前記制御基板２１について説明すると、図４は制御基板２１に配置された部品の構成を示すブロック図であり、図において１６は、制御手段としてのＩＣである。
【００３０】
そして、本実施例において前記ＩＣ１６としてはワンチップのマイコンを用いており、このＩＣ１６の制御によって、ＬＥＤ１３を点滅させるとともに、メロディーを出すことを可能にしている。
【００３１】
即ち、前記ＩＣ１６は、ＬＥＤ点滅用機能及びメロディー信号出力機能を有しており、このＩＣ１６に、電源としての電池１７、該電池１７とＩＣ１６間に介在させたスイッチ１９、スピーカーとしての圧電ブザー１８、及び前記複数個のＬＥＤ１３を接続して、圧電ブザー１８は前記仕切り板１５の裏面に装着している。
【００３２】
そして、スイッチ１９をオンにすることで、ＬＥＤ１３を点滅させるとともに、予めＩＣに記憶させてあるメロディーを圧電ブザー１８より出力可能としている。
【００３３】
また、本実施例において前記複数個のＬＥＤ１３は、任意の数ごとに二つの群に分けるとともに、それぞれの群に電源を供給するリード線を前記ＩＣ１６における異なった出力ピンに接続し、各群の発光時期を異なったものとしている。
【００３４】
即ち、一方の群を構成するＬＥＤが発光している間は他方の群を構成するＬＥＤを発光させず、また、他方の群を構成するＬＥＤが発光している間は一方の群を構成するＬＥＤを発光させないこととし、本実施例では、隣り合うＬＥＤを異なった群に属することとしている。
【００３５】
次に、このように構成される本実施例の装身具ケース１の作用について説明すると、スイッチ１９をオンにすることで、隣り合うＬＥＤ１３が異なったタイミングで点滅を繰り返すとともに、圧電ブザー１８より所定のメロディーが出力される。
【００３６】
そして、このとき、前記ＬＥＤ１３は、前記左右側壁部５及び前後側壁部６における壁本体８と前記蓋体部３における蓋本体１２に形成した貫通孔８０１内に挿装されているとともに、前記壁本体８及び蓋本体１２の外周側には透光性のガラス製の板材１０が取り付けられているため、前記ＬＥＤ１３が発光すると当該発光を装身具ケース１の外側から視認することができる。また、圧電ブザー１８より出力されるメロディーを聴くこともできる。
【００３７】
このように、本実施例の装身具ケース１では、ケースの外側から視認可能な構成において左右側壁、前後側壁及び蓋体に複数個のＬＥＤを挿装するとともに、制御手段の制御によってこのＬＥＤを点滅させ、更に所定のメロディーを出力可能としているために、時間の経過により飽きられることが無いとともに、購買目的を持たずに来店した者に対しても有効に購買意欲をかき立てることを可能にできる。
【００３８】
なお、前記ＬＥＤ１３の配列は特に限定されず、いずれの配列でＬＥＤ１３を取り付けてもよく、また、ＬＥＤは必ずしも複数個の群に分ける必要はない。
【産業上の利用可能性】
【００３９】
本発明の装身具用ケースでは、側壁部と蓋体部にＬＥＤを装着してこのＬＥＤを点滅させて、これにより時間が経過した場合でも飽きることのない装身具ケースとしているため、装身具、装飾品等の収容に用いるケース全般に適用可能である。
【図面の簡単な説明】
【００４０】
【図１】本発明の装身具用ケースの実施例の斜視図である。
【図２】本発明の装身具用ケースの実施例の縦断正面図である。
【図３】本発明の装身具用ケースの実施例における左右側壁の一部拡大断面図である。
【図４】本発明の装身具用ケースの実施例における制御基板を説明するためのブロック図である。
【符号の説明】
【００４１】
１    装身具ケース
２    本体部
３    蓋体部
４    脚部
５    左右側壁部
６    前後側壁部
７    底部
８    壁本体
９    化粧用布地
１０    ガラス製板材
１１    底部本体
１２    蓋本体
１３    ＬＥＤ
１４    スペーサ
１５    仕切り板
１６    ＩＣ
１７    電池
１８    圧電ブザー
１９    スイッチ
２０    縁取り部材
２１    ＬＥＤを点滅させるための制御基板
【図１】
2007282958.tif 000003
【図２】
2007282958.tif 000004
【図３】
2007282958.tif 000005
【図４】
2007282958.tif 000006